(57)【要約】      （修正有）【課題】複数の同時無線アクセス技術（ＲＡＴ）によるデータ伝送のためのモバイル端末および方法を提供する。【解決手段】２つの異なるＲＡＴをサポートするモバイル端末は、第１のＲＡＴおよび第２のＲＡＴにそれぞれ対応している第１の無線リソース制御機能および第２の無線リソース制御機能を調整２２２して、単一の論理チャネルを第１のＲＡＴおよび第２のＲＡＴに対応している第１のトランスポートチャネルおよび第２のトランスポートチャネルにマッピングし、所定の基準に基づいて、第１のＲＡＴと同時に第２のＲＡＴを利用するマスターノードとの通信を開始する。マスターノードは、ネットワークのアンカーポイントを提供するための接続コンテキストを含み、異なるＲＡＴをそれぞれ利用する異なる伝送ノードからの通信を調整する。【選択図】図２
2019050587.tif 000002
【特許請求の範囲】
【請求項１】
少なくとも２つの異なる無線アクセス技術（ＲＡＴ）をサポートするモバイル端末であって、
前記モバイル端末は、少なくとも１つのプロセッサを含み、
前記少なくとも１つのプロセッサは、
第１のＲＡＴおよび第２のＲＡＴにそれぞれ対応している第１の無線リソース制御機能および第２の無線リソース制御機能を調整することと、
単一の論理チャネルを前記第１のＲＡＴおよび前記第２のＲＡＴに対応している第１のトランスポートチャネルおよび第２のトランスポートチャネルにマッピングすることと、
前記第１のＲＡＴを利用するネットワークのためにマスターノードと通信することであって、前記第１のＲＡＴは、前記モバイル端末のデフォルトＲＡＴである、ことと、
少なくとも１つの所定の基準に基づいて、前記第１のＲＡＴと同時に前記第２のＲＡＴを利用する前記マスターノードとの通信を開始することであって、前記マスターノードは、前記ネットワークのアンカーポイントを提供するための接続コンテキストを含み、前記マスターノードは、異なるＲＡＴをそれぞれ利用する異なる伝送ノードからの通信を調整する、ことと
を行うように構成されている、モバイル端末。
【請求項２】
前記少なくとも１つのプロセッサは、前記少なくとも１つのプロセッサによって実行される無線リンク制御（ＲＬＣ）プロセスによってデータストリームを分割するようにさらに構成されている、請求項１に記載のモバイル端末。
【請求項３】
前記少なくとも１つのプロセッサは、前記第１のＲＡＴおよび前記第２のＲＡＴにそれぞれ対応している第１のメディアアクセス制御（ＭＡＣ）プロセスおよび第２のメディアアクセス制御（ＭＡＣ）プロセスを実行することにより、前記第１のＲＡＴおよび前記第２のＲＡＴに従って、１つの論理チャネルからデータを同時に伝送するようにさらに構成されている、請求項２に記載のモバイル端末。
【請求項４】
前記第１のＲＡＴおよび前記第２のＲＡＴの各々に従って伝送されるデータは、要求されたサイズを有しているデータセグメントとして伝送され、各データセグメントは、論理チャネル識別値（ＩＤ）に対応している無線リンク制御ヘッダによってカプセル化されている、請求項３に記載のモバイル端末。
【請求項５】
データを受信すると、前記少なくとも１つのプロセッサは、
前記第１のＲＡＴおよび前記第２のＲＡＴに従って伝送されたデコードされたデータセグメントを受信することと、
各受信されたデータセグメントをカプセル化解除することと、
各カプセル化解除されたデータセグメントを対応する論理チャネルに分配することと
をさらに行うように構成されている、請求項１に記載のモバイル端末。
【請求項６】
前記第１のトランスポートチャネルおよび前記第２のトランスポートチャネルは、それぞれ、前記第１のＲＡＴに対応している第１の基地局および前記第２のＲＡＴに対応している第２の基地局にデータを伝送し、前記第１の基地局および前記第２の基地局からデータを受信するように構成されている、請求項１に記載のモバイル端末。
【請求項７】
前記少なくとも１つのプロセッサは、前記モバイル端末がどのＲＡＴを同時に使用するかを制御するようにさらに構成されている、請求項１に記載のモバイル端末。
【請求項８】
前記マスターノードは、前記異なる伝送ノードの各々に関連付けられた異なるバックホールレイテンシに適合させるために、無線リンク制御（ＲＬＣ）アセンブリウィンドウサイズを調整することによって、前記異なる伝送ノードと前記マスターノードとの間の異なるバックホールレイテンシを補償するように構成されている、請求項１に記載のモバイル端末。
【請求項９】
モバイル端末によって少なくとも２つの異なる無線アクセス技術（ＲＡＴ）を同時に用いる方法であって、前記方法は、
第１のＲＡＴおよび第２のＲＡＴにそれぞれ対応している第１の無線リソース制御機能および第２の無線リソース制御機能を調整することと、
単一の論理チャネルを前記第１のＲＡＴおよび前記第２のＲＡＴに対応している第１のトランスポートチャネルおよび第２のトランスポートチャネルにマッピングすることと、
前記第１のＲＡＴを利用するネットワークのためにマスターノードと通信することであって、前記第１のＲＡＴは、前記モバイル端末のデフォルトＲＡＴである、ことと、
少なくとも１つの所定の基準に基づいて、前記第１のＲＡＴと同時に前記第２のＲＡＴを利用する前記マスターノードとの通信を開始することであって、前記マスターノードは、前記ネットワークのアンカーポイントを提供するための接続コンテキストを含み、前記マスターノードは、異なるＲＡＴをそれぞれ利用する異なる伝送ノードからの通信を調整する、ことと
を含む、方法。
【請求項１０】
無線リンク制御（ＲＬＣ）プロセスによってデータストリームを分割することをさらに含む、請求項９に記載の方法。
【請求項１１】
前記第１のＲＡＴおよび前記第２のＲＡＴにそれぞれ対応している第１のメディアアクセス制御（ＭＡＣ）プロセスおよび第２のメディアアクセス制御（ＭＡＣ）プロセスを実行することにより、前記第１のＲＡＴおよび前記第２のＲＡＴに従って、１つの論理チャネルからデータを同時に伝送することをさらに含む、請求項９に記載の方法。
【請求項１２】
前記第１のＲＡＴおよび前記第２のＲＡＴの各々に従って伝送されるデータは、要求されたサイズを有しているデータセグメントとして伝送され、各データセグメントは、論理チャネル識別値（ＩＤ）に対応している無線リンク制御ヘッダによってカプセル化されている、請求項９に記載の方法。
【請求項１３】
データを受信すると、前記方法は、
前記第１のＲＡＴおよび前記第２のＲＡＴに従って伝送されたデコードされたデータセグメントを受信することと、
各受信されたデータセグメントをカプセル化解除することと、
各カプセル化解除されたデータセグメントを対応する論理チャネルに分配することと
をさらに含む、請求項１２に記載の方法。
【請求項１４】
前記第１のトランスポートチャネルおよび前記第２のトランスポートチャネルは、それぞれ、前記第１のＲＡＴに対応している第１の基地局および前記第２のＲＡＴに対応している第２の基地局にデータを伝送し、前記第１の基地局および前記第２の基地局からデータを受信するように構成されている、請求項９に記載の方法。
【請求項１５】
前記モバイル端末によって受信または伝送されるデータの、異なるＲＡＴへの割り当ておよび分配を制御することをさらに含む、請求項９に記載の方法。
【請求項１６】
前記マスターノードは、前記異なる伝送ノードの各々に関連付けられた異なるバックホールレイテンシに適合させるために、無線リンク制御（ＲＬＣ）アセンブリウィンドウサイズを調整することによって、前記異なる伝送ノードと前記マスターノードとの間の異なるバックホールレイテンシを補償するように構成されている、請求項９に記載の方法。
【請求項１７】
コンピュータ実行可能な命令を格納する非一過性のコンピュータ読み取り可能な媒体であって、前記命令は、実行されると、モバイル端末によって少なくとも２つの異なる無線アクセス技術（ＲＡＴ）を同時に用いる方法を実行し、前記方法は、
第１のＲＡＴおよび第２のＲＡＴにそれぞれ対応している第１の無線リソース制御機能および第２の無線リソース制御機能を調整することと、
単一の論理チャネルを前記第１のＲＡＴおよび前記第２のＲＡＴに対応している第１のトランスポートチャネルおよび第２のトランスポートチャネルにマッピングすることと、
前記第１のＲＡＴを利用するネットワークのためにマスターノードと通信することであって、前記第１のＲＡＴは、前記モバイル端末のデフォルトＲＡＴである、ことと、
少なくとも１つの所定の基準に基づいて、前記第１のＲＡＴと同時に前記第２のＲＡＴを利用する前記マスターノードとの通信を開始することであって、前記マスターノードは、前記ネットワークのアンカーポイントを提供するための接続コンテキストを含み、前記マスターノードは、異なるＲＡＴをそれぞれ利用する異なる伝送ノードからの通信を調整する、ことと
を含む、非一過性のコンピュータ読み取り可能な媒体。
【請求項１８】
前記方法は、無線リンク制御（ＲＬＣ）プロセスによってデータストリームを分割することをさらに含む、請求項１７に記載の非一過性のコンピュータ読み取り可能な媒体。
【請求項１９】
前記方法は、前記第１のＲＡＴおよび前記第２のＲＡＴにそれぞれ対応している第１のメディアアクセス制御（ＭＡＣ）プロセスおよび第２のメディアアクセス制御（ＭＡＣ）プロセスを実行することにより、前記第１のＲＡＴおよび前記第２のＲＡＴに従って、１つの論理チャネルからデータを同時に伝送することをさらに含む、請求項１７に記載の非一過性のコンピュータ読み取り可能な媒体。
【請求項２０】
前記第１のＲＡＴおよび前記第２のＲＡＴの各々に従って伝送されるデータは、要求されたサイズを有しているデータセグメントとして伝送され、各データセグメントは、論理チャネル識別値（ＩＤ）に対応している無線リンク制御ヘッダによってカプセル化されている、請求項１７に記載の非一過性のコンピュータ読み取り可能な媒体。
【請求項２１】
データを受信すると、前記方法は、
前記第１のＲＡＴおよび前記第２のＲＡＴに従って伝送されたデコードされたデータセグメントを受信することと、
各受信されたデータセグメントをカプセル化解除することと、
各カプセル化解除されたデータセグメントを対応する論理チャネルに分配することと
をさらに含む、請求項１７に記載の非一過性のコンピュータ読み取り可能な媒体。
【請求項２２】
前記第１のトランスポートチャネルおよび前記第２のトランスポートチャネルは、それぞれ、前記第１のＲＡＴに対応している第１の基地局および前記第２のＲＡＴに対応している第２の基地局にデータを伝送し、前記第１の基地局および前記第２の基地局からデータを受信するように構成されている、請求項１７に記載の非一過性のコンピュータ読み取り可能な媒体。
【請求項２３】
前記方法は、前記モバイル端末によって受信または伝送されるデータの、異なるＲＡＴへの割り当ておよび分配を制御することをさらに含む、請求項１７に記載の非一過性のコンピュータ読み取り可能な媒体。
【請求項２４】
前記マスターノードは、前記異なる伝送ノードの各々に関連付けられた異なるバックホールレイテンシに適合させるために、無線リンク制御（ＲＬＣ）アセンブリウィンドウサイズを調整することによって、前記異なる伝送ノードと前記マスターノードとの間の異なるバックホールレイテンシを補償するように構成されている、請求項１７に記載の非一過性のコンピュータ読み取り可能な媒体。
【発明の詳細な説明】
【技術分野】
【０００１】
（関連出願）
本願は、２０１５年７月２０日に出願された“Ｍｅｔｈｏｄ  ａｎｄ  Ｓｙｓｔｅｍ  ｆｏｒ  Ｄａｔａ  Ｔｒａｎｓｍｉｓｓｉｏｎ  ｂｙ  Ｍｕｌｔｉｐｌｅ  Ｓｉｍｕｌｔａｎｅｏｕｓ  Ｒａｄｉｏ  Ａｃｃｅｓｓ  Ｔｅｃｈｎｏｌｏｇｉｅｓ”と題された仮出願第６２／１９４，５７５号に対する３５  Ｕ．Ｓ．Ｃ．  §１１９（ｅ）のもとでの優先権の利益を主張するものであり、該仮出願は、その全体が参照により本明細書中に援用される。
【０００２】
（発明の分野）
本発明は、概して、セルラー電気通信システムに関し、特に、データを同時伝送するために異なる無線アクセス技術（ＲＡＴ）を使用するシステムおよび方法に関する。
【背景技術】
【０００３】
（発明の背景）
数十年の進化の後（２Ｇ、３Ｇ、４Ｇから、そして現在迫りつつある５Ｇ）、モバイルネットワークは、殆どどこにでも存在する無線アクセスを介して、数十億のモバイルユーザに、データ伝送サービスを提供することが可能である。異なる世代のモバイルネットワークは、際立った特徴、技術、そしてネットワークアーキテクチャおよびプロトコルスタックさえも有している。先行する世代の技術におけるオペレータおよびエンドユーザの両方の投資を保護することを目的として、各新世代ネットワークの導入が補充されてきたが、以前の世代のネットワークを置き換えてはこなかった。その結果、旧世代のネットワークおよび新世代のネットワークが互いに併存しており、この先何年も併存し続けるであろう。例えば、多くのモバイルネットワークは、今日では、ＧＳＭ（登録商標）（Ｇｌｏｂａｌ  Ｓｙｓｔｅｍ  ｆｏｒ  Ｍｏｂｉｌｅ  Ｃｏｍｍｕｎｉｃａｔｉｏｎｓ）システム、ＵＭＴＳ（Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ）システム、ＬＴＥ（Ｌｏｎｇ  ｔｅｒｍ  Ｅｖｏｌｕｔｉｏｎ）システムから構成されている。同様に、ハンドセットまたはその他のユーザ機器（ＵＥ）は、しばしば、複数のモードをサポートしており、各モードは、異なるＲＡＴを利用している。
【０００４】
複数のモードをサポートする能力を有するＵＥは、異なるＲＡＴを使用して通信し得るが、任意の所与の時間においては、１つのＲＡＴのみがアクティブである。換言すると、データは、一度に１つのＲＡＴのみを使用して伝送される。そして、アクティブなＲＡＴがサービスのデマンドを満たすことができない場合、典型的には、ＲＡＴ間ハンドオーバーが発生し得る。
【０００５】
図１は、無線リソース制御（ＲＲＣ）状態が３ＧＰＰ  ２Ｇ／３Ｇ／４Ｇ  ＲＡＴの間のハンドオーバーに伴ってどのように変化するかを示している例示的な状態図１００を図示している。ＵＥの観点からでは、各ＲＡＴは、それ自身の基準に基づいて独立的に仕事をする。例えば、いくつかのネットワークにおいて、ＧＳＭ（登録商標）接続を介するボイスコールは、ボイスコールが終了するまで、ＵＥを４Ｇ通信から切断し得る。セルサイトは、多くの場合において、同時に異なるＲＡＴをサポートし得るが、リソースの制限（例えば、サイトの取得および維持のコスト等）に起因して、複数のＲＡＴの間の調整は、ＲＡＴ間ハンドオーバーが意図された瞬間においてのみ行われ得る。実際には、エンドユーザは、２Ｇ、３Ｇまたは４Ｇ等のネットワークに接続されているか否かを考慮する必要はない。エンドユーザの関心は、データサービスが提供されているネットワークの世代とは無関係に、ワイヤレスネットワークがオンデマンドでデータサービスを提供し得るか否かに関係している。
【０００６】
図１に図示されているように、ＲＲＣは、ワイヤレス通信のためのエアインターフェースを提供するために、例えばＵＭＴＳおよびＬＴＥ等のＲＡＴによって使用される、無線リソース制御プロトコルである。ＲＲＣは、ＵＥと無線アクセスネットワーク（例えば、ＵＴＲＡＮまたはＥ−ＵＴＲＡＮ）との間のレイヤ３の制御プレーンシグナリングを取り扱い、それとともに、中継ノードとＥ−ＵＴＲＡＮとの間の無線インターフェースを取り扱う。このＲＲＣプロトコルは、３ＧＰＰ  Ｔｅｃｈｎｉｃａｌ  Ｓｐｅｃｉｆｉｃａｔｉｏｎ  ＴＳ  ２５．３３１  ｆｏｒ  ＵＭＴＳ  およびＴｅｃｈｎｉｃａｌ  Ｓｐｅｃｉｆｉｃａｔｉｏｎ  ＴＳ  ３６．３３１  ｆｏｒ  ＬＴＥによって規定されており、これらの技術仕様書の両方は、それらの全体が参照により本明細書中に援用される。ＲＲＣメッセージは、典型的には、ＰＤＣＰ（Ｐａｃｋｅｔ  Ｄａｔａ  Ｃｏｎｖｅｒｇｅｎｃｅ  Ｐｒｏｔｏｃｏｌ）を介してトランスポートされる。
【０００７】
ＲＲＣプロトコルの主要な機能は、接続確立機能および接続解放機能、システム情報のブロードキャスト、無線ベアラ確立、再構成および解放、ＲＲＣ接続モビリティ手順、ページング通知および解放、およびアウターループ電力制御を含む。シグナリング機能を使用することにより、ＲＲＣは、ネットワーク状態に従ってユーザプレーンおよび制御プレーンを構成し、無線リソース管理ストラテジが実装されることを可能にする。ＲＲＣプロトコルの動作は、典型的には、ＵＥが存在し得るある特定の状態を規定する状態機械によってガイドされる。この状態機械における異なる状態は、それらの状態に関連付けられた異なる量の無線リソースを有し、これらのリソースは、ＵＥが（それが所与の特定の状態において存在するときに）使用し得るリソースである。異なる量のリソースが異なる状態において利用可能なので、ユーザが経験するサービスの品質およびＵＥのエネルギー消費は、この状態機械によって影響される。
【０００８】
図１に図示されているように、例示的なＥ−ＵＴＲＡ状態は、ＲＲＣ接続状態１０２およびＲＲＣアイドル状態１０４を含む。ＲＲＣ接続状態１０２の状態は、電力消費について降順に、ＣＥＬＬ＿ＤＣＨ（専用チャネル）状態１０６、ＣＥＬＬ＿ＦＡＣＨ（フォワードアクセスチャネル）状態１０８、およびＣＥＬＬ＿ＰＣＨ（セルページングチャネル）／ＵＲＡ＿ＰＣＨ（ＵＲＡページングチャネル）状態１１０である。例えば、ＣＥＬＬ＿ＦＡＣＨ状態１０８における電力消費は、ＣＥＬＬ＿ＤＣＨ状態１０６におけるそれのおおよそ５０パーセントであり得、ＰＣＨ状態１１０は、ＣＥＬＬ＿ＤＣＨ状態１０６の電力消費の約１〜２パーセントを使用する。ＲＲＣアイドル状態１０４（すなわち、ネットワークリソースとのアクティブな接続が存在しないとき）は、最低エネルギー消費を有し、図１に示されている例においては、ＵＴＲＡアイドル状態１１２およびＧＳＭ（登録商標）アイドル／ＧＲＰＳパケットアイドル状態１１４を含む。低エネルギー消費状態への遷移は、非活動性タイマがトリガしたときに発生する。例えば、第１のタイマ（Ｔ１）は、ＤＣＨ状態からＦＡＣＨ状態への遷移を制御し、第２のタイマ（Ｔ２）は、ＦＡＣＨ状態からＰＣＨ状態への遷移を制御し、第３のタイマ（Ｔ３）は、ＰＣＨ状態からアイドル状態への遷移を制御する。異なるオペレータは、非活動性タイマのための異なる構成を有し得、これは、エネルギー消費における差異につながる。
【０００９】
ＲＲＣアイドル状態１０４において、ＵＥは、ネットワークのサービスエリア内のそのトラッキングエリア（ＴＡ）のみによって位置を特定されることが可能であり、これは、ネットワークが、ＵＥが現在割り当てられている特定の基地局を知らないということを意味する。ＲＲＣ接続手順が完了した後、ＵＥは、ＲＲＣ接続状態１０２に遷移し、その後、ＵＥは、トラフィックデータ転送機能を実行するために、専用ネットワークリソースを使用し得る。データ転送の完了の後、ＵＥによるエネルギー消費を低減させることを目的として、ＵＥは、所定のＲＲＣ接続解放手順に従って、ＲＲＣアイドル状態１０４に戻るように遷移し得る。図１に示されている例においては、ＲＲＣ接続状態１０２において、ＵＥは、ＧＳＭ（登録商標）（Ｇｌｏｂａｌ  Ｓａｔｅｌｌｉｔｅ  Ｍｏｂｉｌｅ）接続状態１１６（ＧＳＭ（登録商標）  ＲＡＴを利用）またはＧＰＲＳ（Ｇｅｎｅｒａｌ  Ｐａｃｋｅｔ  Ｒａｄｉｏ  Ｓｅｒｖｉｃｅ）パケット転送モード状態１１８（ＧＰＲＳパケット転送モードＲＡＴを利用）のいずれかで、データを転送し得る。しかしながら、デュエル接続性をサポートする従来のＵＥまたは基地局においては、１つのＲＡＴのみが、任意の所与の時間において使用され得る。
【００１０】
例えば３ＧＰＰリリース１２（Ｒ１２）等のネットワークに導入されるデュアル接続性は、（典型的には、ＲＲＣ＿ＣＯＮＮＥＣＴＥＤ状態にあるが、非理想バックホールに接続されている場合）所与のＵＥが、少なくとも２つの異なるネットワークポイント（例えば、プライマリｅＮｏｄｅＢおよびセカンダリｅＮｏｄｅＢ）によって提供される無線リソースを消費し得る動作をサポートする。したがって、ＵＥは、無線ベアラスプリットを介して比較的高いデータスループットを提供されることが可能であり、これは、無線ベアラが、複数のＥ−ＵＴＲＡＮノードＢ（「ｅｖｏｌｖｅｄ  ＮｏｄｅＢ」または「ｅＮｏｄｅＢ」として知られる）の間で分割されることを意味する。したがって、従来のネットワークにおいては、同じ無線アクセス技術（ＲＡＴ）（例えば、ＬＴＥ）を使用して動作する複数のｅＮｏｄｅＢを利用することにより、デュアル接続性が提供される。さらに、デュアル接続性が提供されるとき、データストリームは、無線ベアラにおいて分割される。これらの技術は、今日のネットワークおよびＵＥによってサポートされる異なるＲＡＴを利用することにおける非効率性につながる。
【００１１】
図２は、従来のＵＥプロトコルスタック２００のＯＳＩ（Ｏｐｅｎ  Ｓｙｓｔｅｍｓ  Ｉｎｔｅｒｃｏｎｎｅｃｔｉｏｎ）モデルを図示しており、これは、制御プレーン２０２と、ユーザプレーン２０４とを含む。制御プレーン２０２は、ＵＥと無線アクセスネットワーク（ＵＴＲＡＮまたはＥ−ＵＴＲＡＮ）との間でＯＳＩレイヤ３シグナリングを提供し、ＮＡＳ（Ｎｏｎ−Ａｃｃｅｓｓ−Ｓｔｒａｔｕｍ）レイヤ２０６を含み、該ＮＡＳレイヤは、セッション管理、移動性管理、およびセキュリティ管理を制御する。種々の実施形態において、ＮＡＳメッセージは、その他のＲＲＣメッセージと連結されるかまたは専用のＲＲＣメッセージとしてカプセル化されるかのいずれかにより、無線リソース制御（ＲＲＣ）レイヤ２０８によってトランスポートされ得る。ＲＲＣレイヤ２０８は、４Ｇネットワーク、３Ｇネットワークに対するＲＮＣ（Ｒａｄｉｏ  Ｎｅｔｗｏｒｋ  Ｃｏｎｔｒｏｌｌｅｒ）等のためのｅＮｏｄｅＢによってターミネートされ得、種々の実施形態においては、ＲＲＣレイヤ２０８は、システム情報ブロードキャスト、ページング、ＵＥとネットワークとの間のＲＲＣ接続、およびポイントトゥポイント無線ベアラ等を制御する。種々の実施形態において、ＲＲＣレイヤ２０８はまた、種々の移動性機能に関与し、そのような移動性機能としては、セル間に対するＵＥ測定報告およびセル間に対する報告のＵＥ制御、ＲＡＴ間移動性、ＵＥセル選択／再選択等を含むが、これらに限定されない。
【００１２】
ユーザプレーン２０４は、アプリケーション（ＡＰＰ）レイヤ２１０と、インターネットプロトコル（ＩＰ）レイヤ２１２とを含む。ＡＰＰレイヤ２１０は、ＵＥを動作させているエンドユーザに最も近いＯＳＩレイヤであり、これは、ＡＰＰレイヤ２１０とユーザとの両方がＵＥ上で稼働しているソフトウェアアプリケーションと直接的に相互作用することを意味する。したがって、ＡＰＰレイヤ２１０は、１つ以上の通信機能（例えば、通信パートナーを識別すること、リソース利用可能性を決定すること、および通信を同期すること）を実装するソフトウェアアプリケーションと相互作用する。通信パートナーを識別すると、ＡＰＰレイヤ２１０は、伝送するデータを有するアプリケーションに対する通信パートナーのＩｄと利用可能性とを決定する。リソース利用可能性を決定すると、ＡＰＰレイヤ２１０は、要求された通信のために十分なリソースが存在するか否かを決断する。通信を同期する際に、アプリケーション間の全ての通信は、ＡＰＰレイヤ２１０によって管理される協調を要求する。このようにして、ＡＰＰレイヤ２１０は、アプリケーションプロセスとエンドユーザプロセスとをサポートする。ＩＰレイヤ２１２は、データをアクセスネットワーク境界を横切って中継するための主要通信プロトコルを提供する。そのルーティング機能は、ネット間動作を可能にし、インターネットを本質的に確立する。ＩＰレイヤ２１２は、専らパケットヘッダ内のＩＰアドレスに基づいてソースホストから宛先ホストまでパケットを送達するタスクを有する。この目的のために、ＩＰレイヤ２１２は、送達されるべきデータをカプセル化するパケット構造を定義する。これはまた、ソース情報および宛先情報によってデータをラベル付けするために使用されるアドレス指定方法を定義する。
【００１３】
ＰＤＣＰレイヤ２１４は、ＲＲＣレイヤ２０８に制御プレーンデータを提供し、ＵＥのＩＰレイヤ２１２にユーザプレーンデータを提供する。また、ＰＤＣＰレイヤ２１４は、基地局（例えば、ｅＮｏｄｅＢ）にデータを提供し得る。ＰＤＣＰレイヤ２１４は、より上位のレイヤにヘッダ圧縮サービスを提供するためのヘッダ圧縮サブレイヤまたはモジュール２１６と、より上位のレイヤに暗号化サービスを提供するための暗号化モジュール２１８と、より上位のレイヤにデータインテグリティサービスを提供するためのインテグリティモジュール２２０とをさらに含む。ヘッダ圧縮モジュール２１６は、既知のＩＰヘッダ圧縮プロトコル（例えば、ＲＦＣ２５０７またはＲＦＣ３０９５）を利用し得る。ＰＤＣＰが、無圧縮（Ｎｏ  Ｃｏｍｐｒｅｓｓｉｏｎ）のために構成された場合、ＰＤＣＰは、圧縮なしでＩＰパケットを送信し；そうではない場合には、ＰＤＣＰは、より上位のレイヤによるその構成に従ってパケットを圧縮し得、ＰＤＣＰヘッダを添付し得、パケットを送信し得る。トランスポートされるべきデータのタイプに依存して、異なるヘッダフォーマットが定義される。暗号化モジュール２１８は、既知の暗号化技術を利用して、より上位のレイヤに送信されるべきＩＰデータを暗号化する。インテグリティモジュール２２０は、ＲＲＣレイヤ２０８に制御メッセージが送信されると既知のデータインテグリティ機能および暗号化機能を実行する。
【００１４】
図２を依然として参照すると、無線リンク制御（ＲＬＣ）レイヤ２２２は、ＰＤＣＰのプロトコルデータユニット（ＰＤＵ）をトランスポートする。ＲＬＣレイヤ２２２は、セグメント化モジュール２２４を含み、該セグメント化モジュールは、サポートされているＲＡＴに対して適応可能な各データパケットをセグメント化し、種々の実施形態においては、透過モード（ＴＭ）、無応答モード（ＵＭ）、および応答モード（ＡＭ）をサポートする。種々のＡＭモード実施形態に対し、データセグメント化伝送の保証のために、自動再送要求（ＡＲＱ）が適用される。ＲＬＣレイヤ２２２は、さらに、高い信頼性のデータ伝送を達成するために、アクノリッジメント（データフレームまたはパケットを正しく受信したことを示す受信器によって送信されるメッセージ）と、タイムアウト（アクノリッジメントが受信される前に経過することが許される特定の期間）とを使用する、データ伝送のためのエラー制御を提供するＡＲＱモジュール２２６を含む。送信者がタイムアウトの前にアクノリッジメントを受信しない場合、送信者は、通常、送信者がアクノリッジメントを受信するまで、または、再伝送の所定の回数を超えるまで、フレーム／パケットを再伝送する。モードに依存して、ＲＬＣレイヤ２２２は、ＡＲＱエラー訂正、ＰＤＵのセグメント化／連結、順次送達に対する再順序付け、複製検出等を提供し得る。
【００１５】
ＵＥプロトコルスタック２００は、さらに、ＲＡＴ♯ｎに対して構成された第１のメディアアクセス制御（ＭＡＣ）レイヤ２２８ｎを含み、該第１のＭＡＣレイヤは、ＲＡＴ♯ｎプロトコルに従って、第１の多重化モジュール２３０ｎによって、アップリンク／ダウンリンクデータ伝送をスケジューリングし、リンク適応を実行し、ランダムアクセス制御を実行し、かつ、第１のハイブリッド自動再送要求（ＨＡＲＱ）モジュール２３２ｎによって、エラー訂正を行う。ＵＥプロトコルスタック２００は、さらに、ＲＡＴ♯ｋに対して構成された第２のメディアアクセス制御（ＭＡＣ）レイヤ２２８ｋを含み、該第２のＭＡＣレイヤは、ＲＡＴ♯ｋに従って、第２の多重化モジュール２３０ｋによって、アップリンク／ダウンリンクデータ伝送をスケジューリングし、リンク適応を実行し、ランダムアクセス制御を実行し、かつ、第２のハイブリッド自動再送要求（ＨＡＲＱ）モジュール２３２ｋによるエラー訂正を行う。ＭＡＣレイヤ２２８は、いくつかの端末またはネットワークノードが、共有メディアを組み込むマルチアクセスネットワーク内で通信することを可能にする、ＲＬＣレイヤ２２４へのアドレス指定および論理チャネルを提供する。
【００１６】
ＵＥプロトコルスタック２００は、さらに、複数の物理的（ＰＨＹ）レイヤ２３４ｋおよび２３４ｎを含み、各々は、サポートされているＲＡＴ♯ｋおよびＲＡＴ♯ｎに対応する。ＰＨＹレイヤ２３４は、無線インターフェース上での実際の伝送を担っており、コーディングおよび変調モジュール２３６を含み、該コーディングおよび変調モジュールは、物理的チャネルを介した伝送のための、チャネルコーディング、変調、および物理的信号生成を含む。図２のプロトコルスタック２００において、論理チャネルとトランスポートチャネルとの間のマッピングは１：１マッピングであり、これは、１つのＲＡＴのみが常時アクティブであり得ることの理由の１つであるということに留意されたい。
【発明の概要】
【課題を解決するための手段】
【００１７】
（発明の概要）
本発明は、複数のＲＡＴを同時に使用する技術を提供することにより、上記のニーズおよびその他のニーズに対処する。
【００１８】
種々の実施形態において、本発明は、少なくとも２つの異なる無線アクセス技術（ＲＡＴ）を同時にサポートする、方法、非一過性コンピュータ読み取り可能媒体、およびモバイル端末を提供する。モバイル端末は、少なくとも１つのプロセッサを含み、該少なくとも１つのプロセッサは、第１のＲＡＴおよび第２のＲＡＴにそれぞれ対応している第１の無線リソース制御機能および第２の無線リソース制御機能を制御しかつ調整することと、第１のＲＡＴおよび第２のＲＡＴに対応している第１のトランスポートチャネルおよび第２のトランスポートチャネルに論理チャネルをマッピングすることとを行うように構成されている。
【００１９】
本発明のさらなる特徴および利点、ならびに本発明の種々の実施形態の構造および動作は、添付図面を参照しながら以下に詳細に記載される。
例えば、本発明は、以下を提供する。
（項目１）
少なくとも２つの異なる無線アクセス技術（ＲＡＴ）をサポートするモバイル端末であって、
少なくとも１つのプロセッサであって、
第１のＲＡＴおよび第２のＲＡＴにそれぞれ対応している第１の無線リソース制御機能および第２の無線リソース制御機能を制御しかつ調整することと、
上記第１のＲＡＴおよび上記第２のＲＡＴに対応している第１のトランスポートチャネルおよび第２のトランスポートチャネルに論理チャネルをマッピングすることと
を行うように構成されている、少なくとも１つのプロセッサ
を含む、モバイル端末。
（項目２）
上記少なくとも１つのプロセッサは、上記少なくとも１つのプロセッサによって実行される無線リンク制御（ＲＬＣ）プロセスによってデータストリームを分割させるようにさらに構成されている、上記項目に記載のモバイル端末。
（項目３）
上記少なくとも１つのプロセッサは、上記第１のＲＡＴおよび上記第２のＲＡＴに従って、上記第１のＲＡＴおよび上記第２のＲＡＴにそれぞれ対応している第１のメディアアクセス制御（ＭＡＣ）プロセスおよび第２のメディアアクセス制御（ＭＡＣ）プロセスを実行することにより、１つの論理チャネルからデータを同時に伝送するようにさらに構成されている、上記項目のいずれか一項に記載のモバイル端末。
（項目４）
上記第１のＲＡＴおよび上記第２のＲＡＴの各々に従って伝送されるデータは、要求されたサイズを有しているデータセグメントとして伝送され、各データセグメントは、論理チャネル識別値（ＩＤ）に対応している無線リンク制御ヘッダによってカプセル化されている、上記項目のいずれか一項に記載のモバイル端末。
（項目５）
データを受信すると、上記少なくとも１つのプロセッサは、
上記第１のＲＡＴおよび上記第２のＲＡＴに従って伝送されたデコードされたデータセグメントを受信することと、
各受信されたデータセグメントをカプセル化解除することと、
各カプセル化解除されたデータセグメントを対応する論理チャネルに分配することと
をさらに行うように構成されている、上記項目のいずれか一項に記載のモバイル端末。
（項目６）
上記第１のトランスポートチャネルおよび上記第２のトランスポートチャネルは、それぞれ、上記第１のＲＡＴに対応している第１の基地局および上記第２のＲＡＴに対応している第２の基地局にデータを伝送し、上記第１の基地局および上記第２の基地局からデータを受信するように構成されている、上記項目のいずれか一項に記載のモバイル端末。
（項目７）
上記少なくとも１つのプロセッサは、上記モバイル端末がどのＲＡＴを同時に使用するかを制御するようにさらに構成されている、上記項目のいずれか一項に記載のモバイル端末。
（項目８）
モバイル端末によって少なくとも２つの異なる無線アクセス技術（ＲＡＴ）を同時に用いる方法であって、上記方法は、
第１のＲＡＴおよび第２のＲＡＴにそれぞれ対応している第１の無線リソース制御機能および第２の無線リソース制御機能を制御しかつ調整することと、
上記第１のＲＡＴおよび上記第２のＲＡＴに対応している第１のトランスポートチャネルおよび第２のトランスポートチャネルに論理チャネルをマッピングすることと
を含む、方法。
（項目９）
無線リンク制御（ＲＬＣ）プロセスによってデータストリームを分割させることをさらに含む、上記項目に記載の方法。
（項目１０）
上記第１のＲＡＴおよび上記第２のＲＡＴに従って、上記第１のＲＡＴおよび上記第２のＲＡＴにそれぞれ対応している第１のメディアアクセス制御（ＭＡＣ）プロセスおよび第２のメディアアクセス制御（ＭＡＣ）プロセスを実行することにより、１つの論理チャネルからデータを同時に伝送することをさらに含む、上記項目のいずれか一項に記載の方法。
（項目１１）
上記第１のＲＡＴおよび上記第２のＲＡＴの各々に従って伝送されるデータは、要求されたサイズを有しているデータセグメントとして伝送され、各データセグメントは、論理チャネル識別値（ＩＤ）に対応している無線リンク制御ヘッダによってカプセル化されている、上記項目のいずれか一項に記載の方法。
（項目１２）
データを受信すると、上記方法は、
上記第１のＲＡＴおよび上記第２のＲＡＴに従って伝送されたデコードされたデータセグメントを受信することと、
各受信されたデータセグメントをカプセル化解除することと、
各カプセル化解除されたデータセグメントを対応する論理チャネルに分配することと
をさらに含む、上記項目のいずれか一項に記載の方法。
（項目１３）
上記第１のトランスポートチャネルおよび上記第２のトランスポートチャネルは、それぞれ、上記第１のＲＡＴに対応している第１の基地局および上記第２のＲＡＴに対応している第２の基地局にデータを伝送し、上記第１の基地局および上記第２の基地局からデータを受信するように構成されている、上記項目のいずれか一項に記載の方法。
（項目１４）
上記モバイル端末によって受信または伝送されるデータの、異なるＲＡＴへの割り当ておよび分配を制御することをさらに含む、上記項目のいずれか一項に記載の方法。
（項目１５）
コンピュータ実行可能な命令を格納する非一過性コンピュータ読み取り可能媒体であって、上記命令は、実行されると、モバイル端末によって少なくとも２つの異なる無線アクセス技術（ＲＡＴ）を同時に用いる方法を実行し、上記方法は、
第１のＲＡＴおよび第２のＲＡＴにそれぞれ対応している第１の無線リソース制御機能および第２の無線リソース制御機能を制御しかつ調整することと、
上記第１のＲＡＴおよび上記第２のＲＡＴに対応している第１のトランスポートチャネルおよび第２のトランスポートチャネルに論理チャネルをマッピングすることと
を含む、非一過性コンピュータ読み取り可能媒体。
（項目１６）
上記方法は、無線リンク制御（ＲＬＣ）プロセスによってデータストリームを分割させることをさらに含む、上記項目に記載の非一過性コンピュータ読み取り可能媒体。
（項目１７）
上記方法は、上記第１のＲＡＴおよび上記第２のＲＡＴに従って、上記第１のＲＡＴおよび上記第２のＲＡＴにそれぞれ対応している第１のメディアアクセス制御（ＭＡＣ）プロセスおよび第２のメディアアクセス制御（ＭＡＣ）プロセスを実行することにより、１つの論理チャネルからデータを同時に伝送することをさらに含む、上記項目のいずれか一項に記載の非一過性コンピュータ読み取り可能媒体。
（項目１８）
上記第１のＲＡＴおよび上記第２のＲＡＴの各々に従って伝送されるデータは、要求されたサイズを有しているデータセグメントとして伝送され、各データセグメントは、論理チャネル識別値（ＩＤ）に対応している無線リンク制御ヘッダによってカプセル化されている、上記項目のいずれか一項に記載の非一過性コンピュータ読み取り可能媒体。
（項目１９）
データを受信すると、上記方法は、
上記第１のＲＡＴおよび上記第２のＲＡＴに従って伝送されたデコードされたデータセグメントを受信することと、
各受信されたデータセグメントをカプセル化解除することと、
各カプセル化解除されたデータセグメントを対応する論理チャネルに分配することと
をさらに含む、上記項目のいずれか一項に記載の非一過性コンピュータ読み取り可能媒体。
（項目２０）
上記第１のトランスポートチャネルおよび上記第２のトランスポートチャネルは、それぞれ、上記第１のＲＡＴに対応している第１の基地局および上記第２のＲＡＴに対応している第２の基地局にデータを伝送し、上記第１の基地局および上記第２の基地局からデータを受信するように構成されている、上記項目のいずれか一項に記載の非一過性コンピュータ読み取り可能媒体。
（項目２１）
上記方法は、上記モバイル端末によって受信または伝送されるデータの、異なるＲＡＴへの割り当ておよび分配を制御することをさらに含む、上記項目のいずれか一項に記載の非一過性コンピュータ読み取り可能媒体。
（摘要）
少なくとも２つの異なる無線アクセス技術（ＲＡＴ）を同時に利用するモバイル端末、方法、および非一過性コンピュータ読み取り可能媒体。一実施形態において、モバイル端末は、少なくとも１つのプロセッサを含み、該少なくとも１つのプロセッサは、第１のＲＡＴおよび第２のＲＡＴにそれぞれ対応している第１の無線リソース制御機能および第２の無線リソース制御機能を制御しかつ調整することと、第１のＲＡＴおよび第２のＲＡＴに対応している第１のトランスポートチャネルおよび第２のトランスポートチャネルに論理チャネルをマッピングすることとを行うように構成されている。
【図面の簡単な説明】
【００２０】
本発明は、１つ以上の種々の実施形態に従って、以下の図を参照して詳細に記載される。図は、本発明の例示的実施形態を描写するだけのそして描写するにすぎない図示目的で提供されている。これらの図は、本発明の読者の理解を促進するために提供されており、本発明の広さ、範囲、または適用可能性を制限していると見做されるべきではない。図示の明確化および容易さのために、これらの図は、正確な縮尺で描かれているとは限らないことに留意すべきである。
【００２１】
【図１】図１は、いかにして無線リソース制御（ＲＲＣ）状態が異なる無線アクセス技術（ＲＡＴ）の間のハンドオーバーに伴って変化するかを示す例示的な状態図を図示している。
【図２】図２は、例示的なユーザ機器（ＵＥ）プロトコルスタックを図示している。
【図３】図３は、本発明の一実施形態に従う、例示的なＵＥプロトコルスタックを図示している。
【図４】図４は、本発明の別の実施形態に従う、例示的なＵＥプロトコルスタックを図示している。
【図５】図５は、本発明の一実施形態に従う、例示的なＢＳＴプロトコルスタックを図示している。
【図６】図６は、本発明の別の実施形態に従う、例示的なＢＳＴプロトコルスタックを図示している。
【発明を実施するための形態】
【００２２】
（例示的な実施形態の詳細な説明）
添付図の複数の図面において、限定を目的とするものではなく例示を目的として、アプローチが図示されおり、複数の図面において、同じ参照番号は同様の要素を参照している。本開示における「ある」実施形態または「１つの」実施形態または「いくつかの」実施形態に対する参照は、必ずしも同じ実施形態に対するものではなく、そのような参照は、少なくとも１つを意味していることに留意すべきである。
【００２３】
例示的な実施形態の以下の説明において、本明細書の一部分を形成する添付図に対する参照がなされ、添付図では、本発明が実施され得る特定の実施形態が図示を目的として示されている。本発明の好適な実施形態の範囲から逸脱することなしに、その他の実施形態が利用され得、構造的変更がなされ得ることが理解されるべきである。
【００２４】
上で議論したように、ネットワーク（例えば、３ＧＰＰ  Ｒ１２）に導入されるデュアル接続性は、所与のＵＥが、少なくとも２つの異なるネットワークポイント（例えば、プライマリｅＮＢ、セカンダリｅＮＢ）（典型的には、ＲＲＣ＿ＣＯＮＮＥＣＴＥＤ状態にある間に、非理想バックホールと接続されている）によって提供される無線リソースを消費し得る動作をサポートする。したがって、ＵＥは、複数のｅＮｏｄｅＢの間で無線ベアラを分割させることによって比較的高いデータスループットを提供され得、これは、ネットワークおよびＵＥによってサポートされる異なるＲＡＴを利用することにおける非効率性をもたらす。いくつかの実施形態において、デュアル接続性の概念に関する開示された発明によって提供される利点および相違は、以下のものを含む：
・異なるＲＡＴを使用する複数のノードを利用することによって提供されるデュアル接続性。
・本発明のいくつかの実施形態に従って、デュアル接続性を提供するために無線ベアラレイヤにおいてデータストリームを分割させる代わりに、無線ストリームが、無線リンク制御（ＲＬＣ）レイヤにおいて分割する。これにより、異なるＲＡＴがより効率的に統合される。
【００２５】
種々の実施形態において、複数のＲＡＴが、１つの統一された効率的ネットワークに統合される。図３は、本発明の一実施形態に従う、ＵＥプロトコルスタック３００を図示している。プロトコルスタック３００は、図２のプロトコルスタック２００に類似した多くの要素を含み、これらの要素は、同じ参照番号でラベル付けされている。簡略化のために、これらの類似した要素は、図３に関して再度記載されることはない。一実施形態において、プロトコルスタック３００は、ＲＲＣレイヤ２０８の最上部において無線アクセス制御（ＲＡＣ）レイヤ３０２を含み、該ＲＡＣレイヤは、ＵＥプロトコルスタック３００によってサポートされているＲＡＴ♯ｋおよびＲＡＴ♯ｎに対応しているＲＲＣレイヤ２０８ｋおよび２０８ｎを含む。図３に図示されている実施形態においては、ＲＡＣレイヤ３０２は、各ＲＡＴｋおよびｎに対するＲＲＣ構成要素２０８ｋおよび２０８ｎを制御しかつ調整する。本明細書中で使用されるとき、用語「構成要素」は、該構成要素に帰する対応する機能を実行するように構成された、任意の回路またはその一部分、あるいは、本明細書中に定義されている任意のプロセッサまたはその一部分を参照する。ＲＲＣ構成要素２０８ｋおよび２０８ｎによって提供される集約機能に加え、ＲＡＣレイヤ３０２はまた、以下の機能を有する：
・ＵＥがどのＲＡＴを同時に使用するかを制御する。
・ＲＲＣ構成要素のアクティブ化／非活動化を制御する。
・現在のＵＥ位置に対応しているＵＥに対して利用可能な各ＲＡＴのサービス能力をモニタする。
・ＵＥによって受信または伝送されるデータの、異なるＲＡＴに対する割り当ておよび分配を制御する。
・異なるＲＲＣ構成要素を、それらをより効率的に機能させることを目的として、調整する。例えば、ＲＡＣは、各ＲＡＴの現在の負荷条件および干渉条件に従って、各ＲＲＣ構成要素に対してデータ転送フォーマットを決定し得る。
・ＲＡＣレイヤ３０２はまた、その他の実施形態において、追加機能を有し得る。
【００２６】
図３に示されているように、ＵＥプロトコルスタック３００は、修正ＲＬＣレイヤ３０４をさらに含み、該修正ＲＬＣレイヤは、論理トランスポートチャネル（ＬＴＣ）マッパサブレイヤ３０６を含む。種々の実施形態において、ＬＴＣマッパ３０６は、論理チャネルをトランスポートチャネルに１：１または１：複数のマッピング関数でマッピングし、これは、１つの論理チャネルが、１つ以上の異なるトランスポートチャネルにマッピングされ得、各トランスポートチャネルが、１つのアクティブＲＡＴに対応していることを意味する。データを伝送する場合、各ＭＡＣレイヤ２２８は、そのスケジューリング許可に従って、ペイロードに対する要求をＬＴＣマッパ３０６に送信し、ＬＴＣマッパ３０６は、要求された／許可されたサイズを有しているデータセグメントで各ＭＡＣレイヤ２２８に応答し、データセグメントは、特定の論理チャネルＩＤに対応しているＲＬＣヘッダによってカプセル化される。種々の実施形態において、同じ論理チャネルからのデータは、異なるＲＡＴを用いて複数のＭＡＣによって同時に伝送され得る。データを受信すると、各ＭＡＣレイヤ２２８は、デコードされたトランスポートブロックをＬＴＣマッパ３０６に送信し、これはその後、各受信されたデータセグメントをカプセル化解除し（ｄｅ−ｃａｐｓｕｌａｔｅ）、カプセル化解除されたデータセグメントを対応する論理チャネルに分配する。
【００２７】
図４は、本発明の一実施形態に従う、マスターノードスタック４０２と、２つの異なる伝送ノードスタック４０４および４０６とを含む、例示的なＵＥプロトコルスタック４００を図示している。図４の構成要素またはレイヤは、図４においては、異なるＲＡＴ（♯ｋおよび♯ｎ）を使用して伝送されるデータが、異なるサイトに由来し、かつ、それぞれ伝送ノードスタック４０４および４０６によって別個に取り扱われるという点を除き、図３のものに類似している。図４に示されているように、異なるＲＡＴを使用して異なるサイト（例えば、ｅＮｏｄｅＢ）からＵＥにデータが伝送されるとき、上で議論したようにＲＲＣ構成要素を制御しかつ調整することがＵＥおよび／またはサイトのＲＡＣレイヤによって要求される調整情報が、関与しているサイトの間で転送されなければならない。そのような調整は、要求された調整情報を転送したり交換したりすることのために、追加的なリソース（例えば、帯域幅、処理等）およびコストを要求する。対照的に、全てのＲＡＴが、同じ物理的サイト内でサポートされている場合、ＲＡＣ調整のために要求される情報の全ては、例えば、地理的に分散したサイトの間で調整情報を転送したり交換したりすることに起因するいかなる追加コストも伴わずに、異なるＲＡＴ間で共有され得る。
【００２８】
図４に示されているように、ＵＥスタック４００は、上で議論したように、レイヤ２０６、２１０、２１、２１４、３０２、３０４を含む、マスターノードスタック４０２を含む。これらのレイヤは、上で議論したように、異なるＲＡＴをサポートする異なるＲＲＣ構成要素を制御しかつ調整すること、論理チャネルをトランスポートチャネルにマッピングすること等の機能を実行する。各伝送ノードスタック４０４および４０６は、対応するＲＡＴおよび伝送ノード（例えば、＃ｋおよび＃ｎ）を介して受信されるデータに関して上で議論したものと同じ機能または類似した機能を実行するために、ＭＡＣレイヤ２２８およびＰＨＹレイヤ２３４を含む。
【００２９】
いくつかの実施形態において、図２に対する図３、４における変更は、上で議論したように、ＵＥならびにその他のネットワークデバイスまたはリソース（例えば、基地局、中間ノード等）に適用され得る。図３、４の修正プロトコルスタックおよびそれらの対応する機能性は、基地局トランシーバ（「ＢＳＴ」）、例えばｅＮｏｄｅＢ等において、対応する様式で実装され得ることを理解されたい。
【００３０】
図５は、本発明のいくつかの実施形態に従う、例示的なＢＳＴプロトコルスタック５００を図示している。図３、４のＮＡＳレイヤ２０６、ＡＰＰレイヤ２１０、ＩＰレイヤ２１２は、これらはＢＳＴプロトコルスタックにおいては必要ではないことから、プロトコルスタック５００においては存在しないことに留意されたい。ＢＳＴプロトコルスタック５００は、ＢＳＴの観点からということを除き、図３、４のＲＡＣレイヤ３０２に類似した機能を提供するＲＡＣレイヤ５０２、ＢＳＴの観点からということを除き、ＲＬＣレイヤ３０４に類似した機能を提供するＲＬＣレイヤ５０４、ＢＳＴからの観点ということを除き、ＰＤＣＰレイヤ２１４に類似した機能を提供するＰＤＣＰレイヤ５１４、ＢＳＴからの観点ということを除き、異なるＲＡＴｋおよびｎをサポートし、かつ、ＭＡＣレイヤ２２８ｋおよび２２８ｎに類似した機能を提供する、複数のＭＡＣレイヤ５２８ｋおよび５２８ｎ、ＢＳＴからの観点ということを除き、異なるＲＡＴｋおよびｎをサポートし、かつ、ＰＨＹレイヤ２３４ｋおよび２３４ｎに類似した機能を提供する、複数のＰＨＹレイヤ５３４ｋおよび５３４ｎを含む。当業者であれば、格別の実験を伴わずに、本明細書中に記載されたＯＳＩモデルレイヤに基づいて、ＵＥおよびＢＳＴの両方において相補的機能性を実装し得ることを理解されたい。
【００３１】
図６は、異なるＲＡＴが異なる基地局によってサポートされているときの例示的なＢＳＴプロトコルスタック６００を図示している。ＢＳＴプロトコルスタック６００は、ＢＳＴの観点からということを除き、図のマスターノードスタック４０２に類似した機能を実行するために類似したレイヤを含むマスターノードスタック６０２を含む。マスターノードスタック６０２は、図４のＮＡＳレイヤ２０６、ＡＰＰレイヤ２１０、およびＩＰレイヤ２１２を省いているということにさらに留意すべきである。
【００３２】
ＢＳＴプロトコルスタック６００は、異なるＲＡＴ＃ｋおよび＃ｎをそれぞれサポートする異なる伝送ノード（例えば、基地局）の機能性に対応する伝送ノードスタック６０４および６０６をさらに含む。以下にさらに詳しく議論されるように、マスターノードスタック６０２は、それらのそれぞれのＲＡＴｋおよびｎのプロトコルに従って動作しているノードｋおよびｎ（例えば、２つの異なる基地局）に対するデータ転送を制御しかつ調整する、マスターノードＢＳＴ（不図示）に含まれている。図６と図５との間の主要な相違は、図５においては、マスターノードスタック６０２、伝送ノードｋスタック６０２、および伝送ノードスタックｎ６０６が、全て同じ基地局によってサポートされているのに対して、図６においては、それらが全て、別個の基地局におけるものであるということである。したがって、図６のプロトコルにおいて、マスターノード６０２への制御メッセージおよび該マスターノードからの制御メッセージは、異なる伝送ノードｎおよびｋの間で、通信インターフェース（例えば、「Ｘ２インターフェース」）を介して転送されなければならない。
【００３３】
無線周波数（ＲＦ）チップセットのコストの継続的な低減に伴い、ＵＥは、複数の独立したＲＦチェーンを装備され得る。一旦電源をオンにされると、ＵＥは、デフォルトＲＦチェーンを介し、デフォルトＲＡＴを介して通信するように構成され得る。デフォルトＲＡＴを提供する基地局はまた、同時にその他のＲＡＴもサポートし得る。いくつかの実施形態に従うと、ＵＥがネットワークにアタッチする場合、以下の機能が実行され得る：
１）ＲＡＣレイヤが、デフォルトＲＡＴに対応しているＲＲＣ構成要素をアクティブ化する。
２）ＲＡＣレイヤが、別のＲＡＴがＵＥに対して利用可能であるか否かを、１つ以上の基準（例えば、このＲＡＴネットワークの干渉および負荷、ＵＥのサービス要件、ＵＥの優先度クラス、ＵＥ移動性、ネットワークエネルギー効率性ポリシー、ＵＥエネルギー効率性および電力消費ポリシー、可能な場合におけるＵＥの現在の位置等）に基づいて決定する。
３）ＲＡＣレイヤが、ＵＥに対し、必要な情報を有する新たなＲＡＴにアクセスし、これにより、ＵＥのアクセスをより効率的かつより高速化するように命令する（例えば、非競合ベースランダムアクセス）。
４）一旦アクセス手順が完了されると、ＲＡＣレイヤが、新たなＲＡＴに対応しているＲＲＣ構成要素をアクティブ化する。
５）ＲＡＣレイヤが、新たなＲＡＴに対応している無線リンクブランチとして、新たなＭＡＣレイヤおよびＰＨＹレイヤとの無線リンクを再構成する。
６）その後、ＬＴＣマッパが、論理チャネルおよびトンランスポートチャネルとの間のマッピングを再構成する。
７）ＵＥに対して利用可能なその他のＲＡＴが存在しなくなるまで、または、ＵＥサービス／性能要件が満たされ得るまで、ステップ２〜６が繰り返され得る。
【００３４】
いくつかの実施形態に従うと、ＵＥが通信を開始する場合、
１）ＲＡＣレイヤが、各アクティブＲＡＴ接続に対する現在の能力をチェックする。
２）ＲＡＣレイヤが、アクティブＲＡＴのスケジュールを調整し、それに従って、各無線リンクブランチが作動を開始する。
【００３５】
開示されている本発明のその他の実施形態に従うと、ＵＥが１つだけのＲＦチェーンを有する場合、時間ドメイン内で異なるＲＡＴからのデータを多重化することにより、異なるＲＡＴが同じＲＦチェーンを共有することを除き、類似した手順が実行され得る。いくつかの実施形態において、複数のＲＡＴは、異なるサイトからいくつかの基地局によってサービス提供され得る。しかしながら、基地局のうちの１つのみが、いわゆる「接続コンテキスト」のセットを含んでいるマスターノードとしての役割を担い、ＲＬＣレイヤ３０４でターミネートする、コアネットワークの観点からのモバイルネットワークのアンカーポイントを提供する。マスターノードに加え、ＲＡＴの各タイプにそれぞれ対応する複数の伝送ノードが存在し得る。
【００３６】
マスターノードは、ネットワークに対するアンカーとしての役割を担うために、接続コンテキストを含む。マスターノードは、伝送ノードのうちの１つとしても機能し得るということに留意すべきである。以下の例示的な問題点は、図４および６に示されているアーキテクチャによって対処される：
１）伝送ノードとマスターノードとの間の異なるバックホールレイテンシに対する適応：この実施形態において、各伝送ノードは、同じＲＬＣレイヤから独立して１つのセグメントを伝送する。一実施形態において、この問題点は、異なる伝送ノードに対する異なるバックホールレイテンシに適応するようにすることを目的として、マスターノードにＲＬＣアセンブリウィンドウサイズを調整させることによって解決される。
２）接続コンテキストハンドオーバー：いくつかの実施形態において、必要に応じて、接続コンテキストが、新たなマスターノードにハンドオーバーされ得る。新たなマスターノードは、既存の伝送ノードのうちの１つであり得るか、または、既存の伝送ノードの全てとは異なる完全に新たなノードですらあり得るか、または、その他の実施形態においてはその他のノードであり得ることに留意されたい。
【００３７】
種々の実施形態において、ＵＥは、例えばスマートフォン等のモバイル端末である。コールに関与するモバイル端末がセルサイトまたは基地トランシーバ局（ＢＴＳ）から移動し、その信号が減弱したとき、基地局コントローラ（ＢＳＣ）または無線ネットワークコントローラ（ＲＮＣ）は、異なる周波数（新たに進入したＢＴＳのサービスエリアに割り当てられている周波数）に同調するように、モバイル端末に自動的に命令し得る。このプロセスは、ハンドオフと呼ばれる。ＢＳＣ／ＲＮＣは、現在の制御セルサイトによっておよびその近傍によってなされる無線信号強度の測定を解析することにより、ハンドオフがいつ行われるべきかを決定する。２Ｇネットワークにおいて、ＢＳＣ（基地局コントローラ）と呼ばれる１つのタイプのネットワークコントローラが存在する。同様に３Ｇネットワークにおいて、ＲＮＣ（無線ネットワークコントローラ）と呼ばれる１つのタイプのコントローラが存在する。ＢＳＣおよびＲＮＣの両方は、特定数の基地局を制御する。３ＧＰＰリリース６よりも以前の２Ｇシステムまたは３Ｇシステムにおいて、基地局は、通常、純粋な物理的レイヤ（ＰＨＹ）として機能する一方で、より上位のレイヤ機能はＢＳＣによって実行されるままにしておく。３ＧＰＰリリース６よりも以後の３Ｇシステムにおいて、１つの基地局は、ＰＨＹレイヤ機能およびＭＡＣレイヤ機能の両方を実装する。上で開示された実施形態に提供されているスキームは、少なくとも以下の理由から、従来のＢＳＣ／ＲＮＣスキームとは根本的に異なっている：
１．いくつかの実施形態に従うと、要求されたＢＳＣ／ＲＮＣに類似したネットワーク要素の追加タイプは存在しない。通常、基地局またはノードは、マスターノードとして機能し得る。
２．いくつかの実施形態に従うと、マスターノードは、ＵＥの観点からは静的ではなく、それによって制御されるノードは、ＵＥのローミングに伴って動的に変化させられる。これは、２Ｇ／３Ｇの場合には該当しない。
３．いくつかの実施形態に従うと、マスターノードは、異なるデータストリーム同士を、より上位のレイヤに提供される１つのデータ伝送サービスに組み合わせ、異なるデータストリームは、異なる伝送フォーマットを有し得る。
【００３８】
本発明の１つ以上の実施形態が上で記載されてきたが、それらは単なる例示を目的として提供されたものであり、限定を目的としたものではないということが理解されるべきである。同様に、種々の図面または図式は、本開示に対する例示的なアーキテクチャのまたはその他の構成を描写し得、該描写は、本開示に含まれ得る特徴および機能性を理解することの助けとするためになされている。本開示は、図示された例示的なアーキテクチャまたは構成に限定されるものではなく、むしろ、様々な代替的なアーキテクチャおよび構成を用いて実施され得る。
【００３９】
本明細書中に記載された機能は、ＯＳＩ（Ｏｐｅｎ  Ｓｙｓｔｅｍ  Ｉｎｔｅｒｃｏｎｎｅｃｔ）レイヤの文脈で記載されているが、当業者は、本明細書中に記載されている機能は、ＵＥおよび／または対応するＢＳＴ機能を有するＢＳＴに含まれている１つ以上のプロセッサによって実行され得るということを認識し得る。したがって、本文書に記載されている機能のうちの１つ以上は、適切に構成されたプロセッサによって実行され得る。種々の実施形態に従うと、プロセッサは、単一の集積回路（ＩＣ）として、または、複数の通信可能に結合されたＩＣおよび／またはディスクリート回路として、実装され得る。プロセッサは、種々の公知技術に従って実装され得るということを理解されたい。一実施形態において、プロセッサは、例えば付随するメモリに格納された命令を実行することによって本明細書中に記載されている１つ以上の機能またはプロセスを実行するように構成可能な１つ以上の回路またはユニットを含む。その他の実施形態において、プロセッサは、本明細書中に記載されている１つ以上の機能またはプロセスを実行するように構成されたファームウェア（例えば、ディスクリート論理構成要素）として実装され得る。例えば、種々の実施形態に従うと、プロセッサは、本明細書中に記載されている機能を実行するための、１つ以上のコントローラ、マイクロプロセッサ、マイクロコントローラ、特定用途向け集積回路（ＡＳＩＣ）、デジタル信号プロセセッサ、プログラマブル論理デバイス、フィールドプログラマブルゲートアレイ、またはこれらのデバイスまたは構造の任意の組み合わせ、または、その他のデバイスおよび構造を含み得る。
【００４０】
さらに、本文書中に記載されている機能のうちの１つ以上は、「コンピュータプログラム製品」、「コンピュータ読み取り可能媒体」等（例えばメモリ格納デバイスまたは格納ユニットのような媒体を一般的に参照するように本明細書中では使用されている）に格納されている、コンピュータプログラムコードによって実行され得る。これらの形式およびその他の形式のコンピュータ読み取り可能媒体は、プロセッサに特定の動作を実行させるために、そのプロセッサによる使用のための１つ以上の命令を格納することに関与し得る。そのような命令は、一般的に「コンピュータプログラムコード」（コンピュータプログラムの形式またはその他の類別に分類され得る）として参照され、これは、実行されると、コンピューティングシステムが所望の動作を実行することを可能にする。
【００４１】
明確化の目的のために、上記記載は、異なる機能的レイヤまたはモジュールに関連して本発明の実施形態を記載したということを理解されたい。しかしながら、異なる複数の機能的ユニット、プロセッサ、またはドメインの間での機能性の任意の適切な分配が、本発明から逸脱することなしに使用され得るということが明らかであり得る。例えば、別個の複数のユニット、プロセッサ、またはコントローラによって実行されるように示されている機能性は、同じユニット、プロセッサ、またはコントローラによって実行され得る。したがって、特定の機能的ユニットに対する参照は、単に、記載された機能性を提供する適切な手段に対する参照として見做されるべきであり、厳密な論理的または物理的な構造または組成を示していると見做されるべきではない。
【００４２】
さらに、本発明は、種々の例示的な実施形態および実装に関連して上で記載されているが、個別の実施形態のうちの１つ以上に記載されている種々の特徴および機能性は、それらが記載されている特定の実施形態にそれらの適用可能性を限定されるものではなく、むしろ、そのような実施形態が記載されているか否かに関わらずに、そして、そのような特徴が記載された実施形態の一部分として提示されているか否かに関わらずに、単独または何らかの組み合わせで、本発明のその他の実施形態の１つ以上に適用され得るということが理解されるべきである。したがって、本発明の広さおよび範囲は、上述された例示的実施形態のいずれによっても限定されるものではなく、むしろ、請求項の平易かつ通常の意味と釣り合う範囲を与えられるべきである。
【図１】
2019050587.tif 000003
【図２】
2019050587.tif 000004
【図３】
2019050587.tif 000005
【図４】
2019050587.tif 000006
【図５】
2019050587.tif 000007
【図６】
2019050587.tif 000008